(57)【要約】【課題】基地局へのアクセスを増加させることなく、フェムトセルへ優先的にハンドオフできる無線端末装置及び制御方法を提供すること。【解決手段】携帯電話機１は、基地局を介して外部装置と通信し、フェムトセルの基地局のいずれかに位置登録している際に、位置登録した基地局から近隣基地局を識別する近隣基地局情報を受信する通信部４０と、近隣基地局情報をフェムトセルの基地局と非フェムトセルの基地局とに分けて記憶する記憶部と、位置登録したフェムトセルの基地局からの電波品質に基づいて、ハンドオフ条件を満たした場合、フェムトセルの基地局に関する近隣基地局情報を用いて、位置登録した基地局とは異なる他のフェムトセルの基地局へのハンドオフを試行し、ハンドオフが行えないならば、非フェムトセルの基地局に関する近隣基地局情報を用いて、非フェムトセルの基地局へのハンドオフを試行する制御部３０と、を備える。【選択図】図３
2011249972.tif 000002
【特許請求の範囲】
【請求項１】
狭域セルを形成する第１種基地局と、広域セルを形成する第２種基地局とのいずれにも位置登録可能な無線端末装置であって、
基地局を介して外部装置と通信し、第１種基地局のいずれかに位置登録している際に、当該位置登録した第１種基地局から、近隣基地局を識別する近隣基地局情報を受信する通信部と、
前記通信部により受信された前記近隣基地局情報を、第１種基地局と第２種基地局とに分けて記憶する記憶部と、
前記位置登録した第１種基地局からの電波品質に基づいて、ハンドオフ条件を満たした場合、前記記憶部に記憶されている第１種基地局に関する近隣基地局情報を用いて、前記位置登録した第１種基地局とは異なる他の第１種基地局へのハンドオフを試行し、当該ハンドオフが行えないならば、第２種基地局に関する近隣基地局情報を用いて、第２種基地局へのハンドオフを試行する制御部と、を備える無線端末装置。
【請求項２】
前記通信部は、第１種基地局から報知される所定のブロードキャストメッセージに含まれている前記近隣基地局情報を受信する請求項１に記載の無線端末装置。
【請求項３】
前記通信部は、第１種基地局に位置登録したことに応じて、前記所定のブロードキャストメッセージを選択受信するための所定のサービス識別子を設定する請求項２に記載の無線端末装置。
【請求項４】
前記所定のサービス識別子は、基地局によらず予め定められている固定値である請求項３に記載の無線端末装置。
【請求項５】
基地局に対して同期して位置登録する際に取得される識別子により、当該基地局が第１種基地局であるか第２種基地局であるかを判断する判断部をさらに備え、
前記通信部は、前記判断部により第１種基地局に位置登録していると判断された場合に、前記近隣基地局情報を受信する請求項１から請求項４のいずれか１項に記載の無線端末装置。
【請求項６】
前記通信部は、ＣＤＭＡ方式の通信プロトコルに対応しており、
前記記憶部は、前記近隣基地局情報として、前記通信部が各基地局と同期するための擬似雑音符号を記憶する請求項１から請求項５のいずれか１項に記載の無線端末装置。
【請求項７】
前記制御部は、前記記憶部に記憶されている前記近隣基地局情報に基づいて、前記通信部により受信される各基地局の信号強度を測定する請求項１から請求項６のいずれか１項に記載の無線端末装置。
【請求項８】
前記制御部は、前記位置登録した第１種基地局からの信号強度が相対的に低下した場合、前記記憶部に記憶されている前記近隣基地局情報の中の第１種基地局のうち、前記測定された信号強度が高い基地局を優先して位置登録を試行する請求項７に記載の無線端末装置。
【請求項９】
前記制御部は、前記第２種基地局に関する近隣基地局情報を用いてハンドオフを試行する場合、前記記憶部に記憶されている前記近隣基地局情報の中の第２種基地局のうち、前記測定された信号強度が高い基地局を優先して位置登録を試行する請求項８に記載の無線端末装置。
【請求項１０】
前記記憶部は、第１種基地局から第２種基地局へ位置登録先が変更されると、さらに別の基地局へ位置登録先が変更されるまでは前記近隣基地局情報を保持すると共に、その信号強度についても更新が継続され、
前記制御部は、前記記憶部に記憶されている前記近隣基地局情報の中の第１種基地局のうち、前記測定された信号強度が所定以上の基地局が存在すれば、当該基地局へのハンドオフを試行する請求項９に記載の無線端末装置。
【請求項１１】
狭域セルを形成する第１種基地局と、広域セルを形成する第２種基地局とのいずれにも位置登録可能な無線端末装置が位置登録先の基地局を決定する制御方法であって、
第１種基地局のいずれかに位置登録している際に、当該位置登録した第１種基地局から、近隣基地局を識別する近隣基地局情報を受信する受信ステップと、
前記受信ステップにおいて受信された前記近隣基地局情報を、第１種基地局と第２種基地局とに分けて記憶する記憶ステップと、
前記位置登録した第１種基地局からの電波品質に基づいて、ハンドオフ条件を満たした場合、前記記憶ステップに記憶されている第１種基地局に関する近隣基地局情報を用いて、前記位置登録した第１種基地局とは異なる他の第１種基地局へのハンドオフを試行し、当該ハンドオフが行えないならば、第２種基地局に関する近隣基地局情報を用いて、第２種基地局へのハンドオフを試行する制御ステップと、を含む制御方法。
【発明の詳細な説明】
【技術分野】
【０００１】
本発明は、基地局を介して外部装置と通信する無線端末装置及びその制御方法に関する。
【背景技術】
【０００２】
従来、携帯電話機が位置登録する基地局として、通信可能なエリアが通常のマクロセルやマイクロセル等の基地局より狭い（例えば、半径数十ｍまでの）フェムト（Ｆｅｍｔｏ）セルを実現する小型の基地局が利用されている。このフェムトセルを用いた通信システムは、高層マンションやショッピングセンタ等における電波の不感地対策として、複数の小型基地局を設置し、ブロードバンド回線等を使用して音声又はデータ通信を行うシステムある。
【０００３】
フェムトセルの基地局は、電話回線、光ファイバー又はＣＡＴＶ用ケーブル等の固定回線経由でインターネットと接続し、セルエリア内の携帯電話機が捕捉できる電波を発する。発する電波は、出力強度以外は基本的には通常のマクロセル等を構成する基地局と同様であるため、携帯電話機は、通常のマクロセル等の基地局と同様に、フェムトセルの基地局と通信することができる。また、フェムトセルの通信エリアは、非フェムトセル（マクロセル、マイクロセル、ピコセル等）内に含まれる場合も多い。
【０００４】
ところで、公共施設等のエリア内に複数のフェムトセルが設けられている場合等では、携帯電話機がフェムトセルからハンドオフする先もフェムトセルであることが利用者にとって好ましいことが多い。しかしながら、通常、ハンドオフ処理で利用される近隣基地局情報（ネイバーリスト）は、フェムトセルの基地局からは報知されない。したがって、携帯電話機は、フェムトセルからの電波の受信状態が悪化すると、一旦圏外状態になった後、改めて基地局の捕捉動作を行うこととなってしまう。そのため、パケットロスが発生する。また、フェムトセルの基地局は、非フェムトセルの基地局に比べて出力が弱いため、通信エリアが重複する非フェムトセルへハンドオフしてしまう場合がある。
【０００５】
そこで、例えば、特許文献１では、フェムトセルへのハンドオフを優先させる技術が提案されている。
【先行技術文献】
【特許文献】
【０００６】
【特許文献１】特開２００９−１３０６０２号公報
【発明の概要】
【発明が解決しようとする課題】
【０００７】
しかしながら、特許文献１の方法では、端末装置ごとに、位置登録した基地局への問い合わせが行われ、基地局では、制御装置の処理結果に応じてフェムトセルへのハンドオフ指示が行われる。したがって、基地局及び制御装置の処理負荷が増大し、また、基地局へのアクセスが増加する。
【０００８】
本発明は、基地局へのアクセスの増加を抑えつつ、フェムトセルへ優先的にハンドオフできる無線端末装置及び制御方法を提供することを目的とする。
【課題を解決するための手段】
【０００９】
本発明に係る無線端末装置は、狭域セルを形成する第１種基地局と、広域セルを形成する第２種基地局とのいずれにも位置登録可能な無線端末装置であって、基地局を介して外部装置と通信し、第１種基地局のいずれかに位置登録している際に、当該位置登録した第１種基地局から、近隣基地局を識別する近隣基地局情報を受信する通信部と、前記通信部により受信された前記近隣基地局情報を、第１種基地局と第２種基地局とに分けて記憶する記憶部と、前記位置登録した第１種基地局からの電波品質に基づいて、ハンドオフ条件を満たした場合、前記記憶部に記憶されている第１種基地局に関する近隣基地局情報を用いて、前記位置登録した第１種基地局とは異なる他の第１種基地局へのハンドオフを試行し、当該ハンドオフが行えないならば、第２種基地局に関する近隣基地局情報を用いて、第２種基地局へのハンドオフを試行する制御部と、を備える。
【００１０】
また、前記通信部は、第１種基地局から報知される所定のブロードキャストメッセージに含まれている前記近隣基地局情報を受信することが好ましい。
【００１１】
また、前記通信部は、第１種基地局に位置登録したことに応じて、前記所定のブロードキャストメッセージを選択受信するための所定のサービス識別子を設定することが好ましい。
【００１２】
また、前記所定のサービス識別子は、基地局によらず予め定められている固定値であることが好ましい。
【００１３】
また、本発明に係る無線端末装置は、基地局に対して同期して位置登録する際に取得される識別子により、当該基地局が第１種基地局であるか第２種基地局であるかを判断する判断部をさらに備え、前記通信部は、前記判断部により第１種基地局に位置登録していると判断された場合に、前記近隣基地局情報を受信することが好ましい。
【００１４】
また、前記通信部は、ＣＤＭＡ方式の通信プロトコルに対応しており、前記記憶部は、前記近隣基地局情報として、前記通信部が各基地局と同期するための擬似雑音符号を記憶することが好ましい。
【００１５】
また、前記制御部は、前記記憶部に記憶されている前記近隣基地局情報に基づいて、前記通信部により受信される各基地局の信号強度を測定することが好ましい。
【００１６】
また、前記制御部は、前記位置登録した第１種基地局からの信号強度が相対的に低下した場合、前記記憶部に記憶されている前記近隣基地局情報の中の第１種基地局のうち、前記測定された信号強度が高い基地局を優先して位置登録を試行することが好ましい。
【００１７】
また、前記制御部は、前記第２種基地局に関する近隣基地局情報を用いてハンドオフを試行する場合、前記記憶部に記憶されている前記近隣基地局情報の中の第２種基地局のうち、前記測定された信号強度が高い基地局を優先して位置登録を試行することが好ましい。
【００１８】
また、前記記憶部は、第１種基地局から第２種基地局へ位置登録先が変更されると、さらに別の基地局へ位置登録先が変更されるまでは前記近隣基地局情報を保持すると共に、その信号強度についても更新が継続され、前記制御部は、前記記憶部に記憶されている前記近隣基地局情報の中の第１種基地局のうち、前記測定された信号強度が所定以上の基地局が存在すれば、当該基地局へのハンドオフを試行することが好ましい。
【００１９】
本発明に係る制御方法は、狭域セルを形成する第１種基地局と、広域セルを形成する第２種基地局とのいずれにも位置登録可能な無線端末装置が位置登録先の基地局を決定する制御方法であって、第１種基地局のいずれかに位置登録している際に、当該位置登録した第１種基地局から、近隣基地局を識別する近隣基地局情報を受信する受信ステップと、前記受信ステップにおいて受信された前記近隣基地局情報を、第１種基地局と第２種基地局とに分けて記憶する記憶ステップと、前記位置登録した第１種基地局からの電波品質に基づいて、ハンドオフ条件を満たした場合、前記記憶ステップに記憶されている第１種基地局に関する近隣基地局情報を用いて、前記位置登録した第１種基地局とは異なる他の第１種基地局へのハンドオフを試行し、当該ハンドオフが行えないならば、第２種基地局に関する近隣基地局情報を用いて、第２種基地局へのハンドオフを試行する制御ステップと、を含む。
【発明の効果】
【００２０】
本発明によれば、無線端末装置は、基地局へのアクセスの増加を抑えつつ、フェムトセルへ優先的にハンドオフできる。
【図面の簡単な説明】
【００２１】
【図１】本発明の実施形態に係る携帯電話機とその関連要素との構成を示す図である。
【図２】本発明の実施形態に係る携帯電話機の外観斜視図である。
【図３】本発明の実施形態に係る携帯電話機の機能を示すブロック図である。
【図４】本発明の実施形態に係る近隣基地局情報の一例を示す図である。
【図５】本発明の実施形態に係るハンドオフ候補リストの一例を示す図である。
【図６】本発明の実施形態に係る処理の流れを示すフローチャートである。
【図７】本発明の実施形態に係る処理の流れを示すフローチャートの続きである。
【発明を実施するための形態】
【００２２】
以下、本発明の実施形態の一例について説明する。なお、本実施形態では、無線端末装置の一例として、携帯電話機１を説明する。
【００２３】
図１は、本実施形態に係る携帯電話機１とその関連要素との構成を示す図である。携帯電話機１は、各種セル（例えば、フェムトセルＡ、Ｂ、Ｃ及びマクロセルａ）を構成する基地局と通信可能な無線端末装置である。携帯電話機１は、所定以上の電界強度が得られる基地局に対して時間的、符号的な同期を行った上で、自端末の位置登録を行い、基地局は、位置登録が行われた携帯電話機１を通信対象とする。
【００２４】
基地局１００Ａ、１００Ｂ及び１００Ｃ（第１種基地局）のそれぞれは、複数のフェムトセル（Ａ、Ｂ及びＣ）を運営管理する管理サーバ１１０、及び通信事業者のネットワーク３００を介して、ＨＬＲ（Ｈｏｍｅ  Ｌｏｃａｔｉｏｎ  Ｒｅｇｉｓｔｅｒ）３１０と接続されている。また、非フェムトセル（以下、マクロセルａとして説明する）の基地局２００（第２種基地局）は、所定のネットワーク３００を介して、ＨＬＲ３１０と接続されている。なお、ＨＬＲ３１０は、フェムトセル又は非フェムトセルを問わず、着信報知すべきセルを把握するための端末位置管理用のサーバである。
【００２５】
また、フェムトセルの基地局１００（１００Ａ、１００Ｂ及び１００Ｃ）は、ＢＣＳＭＳ（Ｂｒｏａｄｃａｓｔ  Ｓｈｏｒｔ  Ｍｅｓｓａｇｉｎｇ  Ｓｅｒｖｉｃｅｓ）によるブロードキャストメッセージを、セルエリア内に報知している。基地局１００に位置登録している携帯電話機１は、このブロードキャストメッセージをセル内において受信する。
【００２６】
ここで、ＢＣＳＭＳとは、セルエリア内に存在する不特定多数の携帯電話機１に対して、ショートメッセージサービスと呼ばれるプロトコルを利用して、限られた容量（例えば、１４０バイト）のメッセージを送信するサービスをいう。なお、ＢＣＳＭＳは、ＣＤＭＡ２０００＿１ｘ方式における例に過ぎず、３ＧＰＰに準拠した近似するセル内におけるブロードキャストサービスであってもよい。例えば、ＬＴＥ方式におけるｅ−ＭＢＭＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）を用いてもよい。
【００２７】
本実施形態において、基地局１００は、このＢＣＳＭＳにより、近隣に存在している基地局を識別する近隣基地局情報を報知している。そして、携帯電話機１は、この近隣基地局情報に基づくハンドオフ先の候補リストを保持し、このリストの優先順位に従ってハンドオフ先を決定する。
【００２８】
図２は、本実施形態に係る携帯電話機１の外観斜視図である。
携帯電話機１は、操作部側筐体２と、表示部側筐体３と、を備えて構成される。操作部側筐体２は、表面部１０に、操作部１１と、携帯電話機１の使用者が通話時や音声認識アプリケーションを利用時に発した音声が入力されるマイク１２と、を備えて構成される。操作部１１は、各種設定機能や電話帳機能やメール機能等の各種機能を作動させるための機能設定操作ボタン１３と、電話番号の数字やメールの文字等を入力するための入力操作ボタン１４と、各種操作における決定やスクロール等を行う決定操作ボタン１５と、から構成されている。
【００２９】
また、表示部側筐体３は、表面部２０に、各種情報を表示するための表示部２１と、通話の相手側の音声を出力するレシーバ２２と、を備えて構成されている。
【００３０】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開放状態）にしたり、操作部側筐体２と表示部側筐体３とを折り畳んだ状態（折畳み状態）にしたりできる。
【００３１】
図３は、本実施形態に係る携帯電話機１の機能を示すブロック図である。携帯電話機１は、操作部１１と、表示部２１と、制御部３０と、通信部４０と、アンテナ４１と、記憶部５０と、音声制御部６０と、を備える。
【００３２】
制御部３０は、携帯電話機１の全体を制御しており、例えば、表示部２１、通信部４０、音声制御部６０等に対して所定の制御を行う。また、制御部３０は、操作部１１等から入力を受け付けて、各種処理を実行する。そして、制御部３０は、処理実行の際には、記憶部５０を制御し、各種プログラム及びデータの読み出し、並びにデータの書き込みを行う。なお、本実施形態に係る制御部３０の詳細機能は後述する。
【００３３】
通信部４０は、所定の使用周波数帯（例えば、２ＧＨｚ帯や８００ＭＨｚ帯等）で外部装置（基地局１００又は基地局２００）と通信を行う。そして、通信部４０は、アンテナ４１より受信した信号を復調処理し、処理後の信号を制御部３０に供給し、また、制御部３０から供給された信号を変調処理し、アンテナ４１から外部装置に送信する。
【００３４】
ここで、通信部４０は、この例においては、データ通信専用の通信プロトコルであるＣＤＭＡ２０００＿１ｘ＿ＥＶＤＯに対応しているが、Ｗ−ＣＤＭＡやＬＴＥであってもよい。通信部４０は、制御部３０からの指令に基づいて、このプロトコルにより、ＢＣＳＭＳで報知されている近隣基地局情報を含んだブロードキャストメッセージを受信する。
【００３５】
ＢＣＳＭＳにより受信されたメッセージにはそれぞれ、カテゴリを示すサービス識別子が設定されている。このサービス識別子は、基地局によらずカテゴリごとに予め定められている固定値である。制御部３０は、予め受信が許可されているサービス識別子のメッセージのみを取得して処理する。制御部３０は、許可されない識別子が付けられたメッセージは、受信しない、あるいは受信しても処理を行わず破棄する。これにより、制御部３０は、ある目的（この例では、近隣基地局情報の取得）のために報知されているメッセージ以外を排除できる。そこで、制御部３０は、フェムトセルの基地局１００に位置登録したことに応じて、近隣基地局情報を含むブロードキャストメッセージを選択受信するためのサービス識別子を設定する。
【００３６】
なお、ＢＣＳＭＳにおけるブロードキャストメッセージは、基地局１００と時間的、符号的に同期さえしていれば受信可能であり、携帯電話機１は、必ずしも基地局１００への位置登録が完了している必要はない。
【００３７】
また、近隣の基地局の敷設状況が頻繁に変わることもないため、一旦、近隣基地局情報を取得すると、連続して同じブロードキャストメッセージを受信する必要はなくなる。したがって、制御部３０は、サービス識別子を解除し、次にハンドオフが発生、又は所定時間が経過するまでブロードキャストメッセージを受信しないようにしてもよい。これにより、不要な処理負荷が低減される。
【００３８】
図４は、本実施形態に係る基地局１００から報知される近隣基地局情報の一例を示す図である。
近隣基地局情報は、セルの種別（フェムトセル又はマクロセル）を示す基地局識別子と、基地局と同期するためのＰＮ（擬似雑音符号）情報とを含む。
なお、基地局１００は、所定の使用周波数帯をスキャンすることにより、電界強度の強い基地局を検出し、近隣基地局情報を取得することができる。
【００３９】
記憶部５０は、例えば、ワーキングメモリを含み、制御部３０による演算処理に利用される。また、本実施形態に係る各種プログラム等を記憶する。さらに、記憶部５０は、基地局１００から取得した近隣基地局情報に基づく、ハンドオフ候補リストを記憶する。
【００４０】
具体的には、記憶部５０は、通信部４０により受信された近隣基地局情報を、フェムトセルの基地局１００と非フェムトセルの基地局２００とに分けて、ハンドオフ候補リストとして記憶する。
【００４１】
図５は、本実施形態に係る記憶部５０に記憶されるハンドオフ候補リストの一例を示す図である。
ハンドオフ候補リストは、フェムトセルと非フェムトセルとに分けて記憶されており、それぞれの基地局のＰＮ情報と、信号強度（例えば、Ｅｃ／Ｉｏ：信号波対干渉波比）とを含む。
【００４２】
ここで、制御部３０は、記憶部５０に記憶されているＰＮ情報に基づいて、通信部４０により受信される各基地局の信号強度を測定し、ハンドオフ候補リストに記憶させる。なお、信号強度の測定は、ハンドオフ先を探索するリセレクション時等、所定のタイミングで定期的に行われる。
【００４３】
音声制御部６０は、制御部３０の制御に従って、通信部４０から供給された信号に対して所定の音声処理を行い、処理後の信号をレシーバ２２に出力する。レシーバ２２は、音声制御部６０から供給された信号を外部に出力する。なお、この信号は、レシーバ２２に代えて、又はレシーバ２２と共に、スピーカ（図示せず）から出力されるとしてもよい。また、音声制御部６０は、制御部３０の制御に従って、マイク１２から入力された信号を処理し、処理後の信号を通信部４０に出力する。通信部４０は、音声制御部６０から供給された信号に所定の処理を行い、処理後の信号をアンテナ４１より出力する。
【００４４】
次に制御部３０の機能を詳述する。
制御部３０は、判断部３１と、ハンドオフ制御部３２と、を備える。
【００４５】
判断部３１は、いずれかの基地局に対して位置登録する際に取得される識別子により、この基地局がフェムトセルの基地局であるか非フェムトセルの基地局であるかを判断する。ここで、識別子は、ＳＩＤ（Ｓｙｓｔｅｍ  ＩＤ）及びＮＩＤ（Ｎｅｔｗｏｒｋ  ＩＤ）である。判断部３１は、この識別子により、位置登録先がフェムトセルであるか否かを判断し、フェムトセルであると判断した場合に、上述のサービス識別子を設定し、近隣基地局情報の受信を開始する。
【００４６】
ハンドオフ制御部３２は、位置登録した基地局１００からの信号強度が低下した場合、記憶部５０に記憶されているフェムトセルのハンドオフ候補リストを用いて、位置登録しているフェムトセルとは異なる他の基地局１００へのハンドオフを試行する。
【００４７】
すなわち、ハンドオフ制御部３２は、位置登録している基地局１００からの信号強度が、他の基地局からの信号強度に比べて相対的に所定以上低下した場合、あるいは位置登録している基地局１００からの信号強度が所定の閾値以下となった場合、ハンドオフを試行する。このとき、ハンドオフ制御部３２は、記憶部５０に記憶されているフェムトセルのハンドオフ候補リストのうち、測定された信号強度が高い基地局１００を優先する。
【００４８】
また、ハンドオフ制御部３２は、信号強度が高いハンドオフ先のフェムトセルが見つかることなく、位置登録している基地局１００からの信号強度が所定のロスト閾値以下に低下した場合、非フェムトセルへのハンドオフを試行する。
【００４９】
このとき、ハンドオフ制御部３２は、記憶部５０に記憶されている非フェムトセルのハンドオフ候補リストを用いて、測定された信号強度が高い基地局２００を優先してハンドオフを試行する。
【００５０】
さらに、ハンドオフ制御部３２は、携帯電話機１がフェムトセルから非フェムトセルへハンドオフした場合、取得したハンドオフ候補リストを記憶部５０に保持する。なお、このハンドオフ候補リストは、次にハンドオフが発生して位置登録先が変更された場合に、破棄又は上書きされることとしてよい。これにより、ハンドオフ制御部３２は、非フェムトセルに位置登録している場合にも、直前のハンドオフ候補リストを用いて、信号強度が所定以上のフェムトセルへのハンドオフを試行できる。
【００５１】
図６及び図７は、本実施形態に係る制御部３０における処理の流れを示すフローチャートである。
【００５２】
ステップＳ１において、制御部３０は、通信部４０を介して、位置登録した基地局からの報知情報を受信する。
【００５３】
ステップＳ２において、制御部３０は、ステップＳ１で受信した報知情報に含まれるＳＩＤ及びＮＩＤにより、位置登録した基地局がフェムトセルのものか否かを判定する。制御部３０は、この判定がＹＥＳの場合、処理をステップＳ３に移し、判定がＮＯの場合、処理をステップＳ１０に移す。
【００５４】
ステップＳ３において、制御部３０は、位置登録したフェムトセルから近隣基地局情報を含むブロードキャストメッセージを受信するために、所定のサービス識別子を設定する。
【００５５】
ステップＳ４において、制御部３０は、ＢＣＳＭＳにより所定のサービス識別子が付与されているブロードキャストメッセージを受信したか否かを判定する。制御部３０は、この判定がＹＥＳの場合、処理をステップＳ５に移し、判定がＮＯの場合、ステップＳ４を繰り返してメッセージの受信を待機する。
【００５６】
ステップＳ５において、制御部３０は、ＢＣＳＭＳのブロードキャストメッセージから、近隣基地局のＰＮ情報を取得する。
【００５７】
ステップＳ６において、制御部３０は、ステップＳ５で取得したＰＮ情報の１つがフェムトセルのものか否かを判定する。制御部３０は、この判定がＹＥＳの場合、処理をステップＳ７に移し、判定がＮＯの場合、処理をステップＳ８に移す。
【００５８】
ステップＳ７において、制御部３０は、ステップＳ５で取得したＰＮ情報を、フェムトセルのハンドオフ候補リストに登録する。
【００５９】
ステップＳ８において、制御部３０は、ステップＳ５で取得したＰＮ情報を、非フェムトセルのハンドオフ候補リストに登録する。
【００６０】
ステップＳ９において、制御部３０は、ステップＳ５で取得したＰＮ情報を全て、いずれかのハンドオフ候補リストに登録したか否かを判定する。制御部３０は、この判定がＹＥＳの場合、処理をステップＳ１０に移し、判定がＮＯの場合、処理をステップＳ６に戻してハンドオフ候補リストへの登録を繰り返す。
【００６１】
ステップＳ１０において、制御部３０は、フェムトセルのハンドオフ候補リストに、信号強度がハンドオフ閾値を超えたＰＮ情報があるか否かを判定する。制御部３０は、この判定がＹＥＳの場合、処理をステップＳ１１に移し、判定がＮＯの場合、処理をステップＳ１２に移す。
【００６２】
ステップＳ１１において、制御部３０は、ステップＳ１０において良好な基地局が見つかったので、この信号強度が最も高いフェムトセルの基地局へハンドオフを行う。
【００６３】
ステップＳ１２において、制御部３０は、位置登録しているフェムトセルの基地局の信号強度がロスト閾値より低いか否かを判定する。制御部３０は、この判定がＹＥＳの場合、処理をステップＳ１３に移し、判定がＮＯの場合、処理をステップＳ１０に移す。なお、ステップＳ１２でＹＥＳの場合とは、ハンドオフ候補リスト内のフェムトセルの基地局のうち、最も信号強度が高い基地局であるにも関わらず、十分な信号強度が得られないという場合を指す。あるいは、フェムトセルへのハンドオフが全て失敗した場合にもステップＳ１３へ移行してもよい。
【００６４】
ステップＳ１３において、制御部３０は、フェムトセルへのハンドオフができないため、非フェムトセルのハンドオフ候補リストに、信号強度がハンドオフ閾値を超えたＰＮ情報があるか否かを判定する。制御部３０は、この判定がＹＥＳの場合、処理をステップＳ１４に移し、判定がＮＯの場合、処理をステップＳ１５に移す。
【００６５】
ステップＳ１４において、制御部３０は、信号強度が高い非フェムトセルの基地局へハンドオフを行う。
【００６６】
ステップＳ１５において、制御部３０は、いずれのハンドオフ候補リストの中にも、ハンドオフ可能なＰＮ情報がなかったので、電波状況の悪化により圏外状態となる。
【００６７】
ステップＳ１６において、制御部３０は、所定の周波数帯をスキャンし、位置登録可能な基地局を探索する。そして、制御部３０は、所定以上の信号強度が得られた基地局へ位置登録する。
【００６８】
以上のように、本実施形態によれば、携帯電話機１は、フェムトセルの基地局から近隣基地局情報を取得し、フェムトセルと非フェムトセルとに分けてハンドオフ候補リストを保持する。これにより、携帯電話機１は、基地局へのアクセスを増加させることなく、フェムトセルへ優先的にハンドオフできる。
【００６９】
例えば、図１を参照して、携帯電話機１は、フェムトセルＡからマクロセルａの圏外であるフェムトセルＢへはもちろん、フェムトセルＢから、マクロセルａの圏内であるフェムトセルＣへも直接のハンドオフが可能である。このとき、マクロセルａの信号強度によらず、フェムトセルＣへのハンドオフが優先される。
また、ハンドオフ候補リストには、非フェムトセルも含まれるので、いずれのフェムトセルの信号強度も低下した場合には、携帯電話機１は、フェムトセルＣからマクロセルａへのハンドオフも可能である。
【００７０】
また、近隣基地局情報は、ＢＣＳＭＳによる所定のブロードキャストメッセージにより報知されるので、携帯電話機１は、省電力で容易にハンドオフ候補リストを取得できる。
さらに、携帯電話機１は、フェムトセルの基地局に位置登録した場合にのみ、近隣基地局情報を示すＢＣＳＭＳの所定のサービス識別子を設定するので、必要な情報のみを処理でき、処理負荷の増大を抑制できる。
【００７１】
また、携帯電話機１は、ハンドオフ候補リストに含まれる基地局の信号強度を測定しているので、この信号強度に基づいて効率的にハンドオフ先を決定できる。
【００７２】
また、携帯電話機１は、フェムトセルから非フェムトセルへハンドオフした場合にも、さらにハンドオフが発生するまでは、フェムトセルから取得した近隣基地局情報に基づくハンドオフ候補リストを保持する。したがって、携帯電話機１は、非フェムトセルに位置登録した場合にも、フェムトセルを優先してハンドオフを試みることができる。
【００７３】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００７４】
本発明に係る無線端末装置は、携帯電話機１には限られず、音声通話機能を持たないデータ通信専用端末や、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）の他、ゲーム機、ナビゲーション装置、パーソナルコンピュータ等、携帯可能な様々な端末装置に適用可能である。
【符号の説明】
【００７５】
１  携帯電話機（無線端末装置）
１１  操作部
２１  表示部
３０  制御部
３１  判断部
３２  ハンドオフ制御部
４０  通信部
４１  アンテナ
５０  記憶部
６０  音声制御部
１００  フェムトセル基地局（第１種基地局）
２００  マクロセル基地局（第２種基地局）
【図１】
2011249972.tif 000003
【図２】
2011249972.tif 000004
【図３】
2011249972.tif 000005
【図４】
2011249972.tif 000006
【図５】
2011249972.tif 000007
【図６】
2011249972.tif 000008
【図７】
2011249972.tif 000009